(57)【要約】【課題】押しボタンの押し動作或いは引き動作による扉の開閉操作と同時にラッチが解錠されてワンタッチで扉を開放することができるようにする。【解決手段】扉Ａの遊端側端面１に扉Ａの閉鎖姿勢を保持する錠部材Ｄが設けられ、該錠部材Ｄは筒状ケース２と、該ケース２に出没自在に収納されて背部からスプリング３によって常時突出方向に付勢され且つ先端には平面視三角状の先端部６ａを有するラッチ６とを備え、更に前記ラッチ６と相対する固定枠Ｂには三角状先端部６ａを受け入れる凹嵌部４を有する被係合部材Ｅが設けられ、前記三角状先端部６ａの中腹部に左右平行な側面を有する係合部６ｂが設けられ、前記被係合部材Ｅの凹嵌部４にはラッチの係合部６ｂが係合して扉Ａの開閉を阻止する係合溝４ａが設けられ、前記ラッチ６を解錠位置まで後退させる押しボタン７、７が前記扉Ａの前面９並びに背面１０に設けられている構造。【選択図】        図５
2004218220.tif 000002
【特許請求の範囲】
【請求項１】
固定枠（Ｂ’）に対して蝶番（Ｃ）を介して回動可能に取り付けられた扉（Ａ）であって、扉（Ａ）の遊端側の端面（１）に扉（Ａ）の閉鎖姿勢を保持する錠部材（Ｄ）が設けられ、該錠部材（Ｄ）は一端部に開口部を有する筒状ケース（２）と、該ケース（２）に出没自在に収納されて背部からスプリング（３）によって常時突出方向に付勢され且つ先端には平面視三角状の先端部（６ａ）を有するラッチ（６）とを備え、更に前記ラッチ（６）と相対する固定枠（Ｂ）にはラッチ（６）の三角状先端部（６ａ）を受け入れる凹嵌部（４）を有する被係合部材（Ｅ）が設けられ、前記三角状先端部（６ａ）の中腹部に左右平行な側面を有する係合部（６ｂ）が設けられ、前記被係合部材（Ｅ）の凹嵌部（４）には扉（Ａ）を閉じた時に三角状の先端部（６ａ）の係合部（６ｂ）が係合して扉（Ａ）の開閉を阻止する係合溝（４ａ）が設けられ、更に前記ラッチ（６）を解錠位置まで後退させる押しボタン（７）、（７）が前記扉（Ａ）の前面（９）並びに背面（１０）に設けられている回動扉の開閉機構。
【請求項２】
前記押しボタン（７）が押し動作並びに引き動作によってラッチ（６）を解錠位置まで後退させることができるように形成されている請求項１に記載の回動扉の開閉機構。
【発明の詳細な説明】
【０００１】
【発明が属する技術分野】
本発明は主として建築構造物における回動扉の開閉機構に関するもので、殊に回動扉を前後何れの方向にも開放することができるものでありながら閉鎖姿勢を確実にロックすることができ、しかも押しボタンの押し動作或いは引き動作による扉の開閉操作と同時にラッチが解錠されてワンタッチで扉を開放することができる機能を備えた回動扉の開閉機構に関するものである。
【０００２】
【従来の技術】
一般に建築構造物の部屋出入口等に設けられている回動扉として、手前に引いても押し込んでも開閉できる前後開閉式のものがある。このような前後開閉式の回動扉は閉鎖姿勢を保持するために、三角パッチリと呼ばれるスプリングキャッチやマグネットキャッチ等の仮錠が設けられ、扉を手で押せば或いは手前に引けば仮錠が外れて開閉できるようになっている。従って、扉にもたれる等して扉が自然開放するのを防止するために閂錠のような別のロック錠を設ける必要があった。しかし２種類の錠を取り付けるのはコストが高くつくと共に、取付作業が面倒であるといった問題点があった。
【０００３】
【発明が解決しようとする課題】
そこで本出願人は上記課題を解決するために、扉を前後何れの方向にも開放することができるものでありながら閉鎖姿勢を確実にロックすることができる機能を一つの簡単な構造の錠部材を取り付けるだけで達成できるようにしたものを特開閉２００１ー３２９７３２号公報で提案した。
【０００４】
しかし上記の構造では、ラッチ（６）の傾斜裾部に設けた係合部（５ｂ）、（５ｂ）が被係合部材（Ｅ）の凹嵌部（４）にはまり込んで扉の開閉を阻止する構造となっているため、前記係合部を形成する分だけラッチ（６）の突出量が長くなる。従って扉を開けたときに扉端面からラッチが長く突出して衣服等を引っかける等の弊害がある。加えて扉を閉めるときにラッチの係合部（５ｂ）、（５ｂ）に当接してラッチを後退させるガイド片（８）を固定枠側に長く突出した状態で形成しなければならず、美観を損なうと共に手先や衣服を引っかけて危険である等の問題点があった。
【０００５】
そこで本発明は上記課題を解決すると共に、押しボタンの押し動作或いは引き動作による扉の開閉操作と同時にラッチが解錠されてワンタッチで扉を開放することができ、手足の運動機能に傷害のある身障者にとって扉開放操作の負担を軽減することができる回動扉の開閉機構を提供することを主たる目的とするものである。
【０００６】
【課題を解決するための手段】
上記目的を達成する為に本発明では次のような技術的手段を講じた。即ち、本発明にかかる回動扉の開閉機構にあっては、固定枠Ｂ’に対して蝶番Ｃを介して回動可能に取り付けられた扉Ａであって、扉Ａの遊端側端面１に扉Ａの閉鎖姿勢を保持する錠部材Ｄが設けられ、該錠部材Ｄは一端部に開口部を有する筒状ケース２と、該ケース２に出没自在に収納されて背部からスプリング３によって常時突出方向に付勢され且つ先端には平面視三角状の先端部６ａを有するラッチ６とを備え、更に前記ラッチ６と相対する固定枠Ｂにはラッチ６の三角状先端部６ａを受け入れる凹嵌部４を有する被係合部材Ｅが設けられ、前記三角状先端部６ａの中腹部に左右平行な側面を有する係合部６ｂが設けられ、前記被係合部材Ｅの凹嵌部４には扉Ａを閉じた時に三角状の先端部６ａの係合部６ｂが係合して扉Ａの開閉を阻止する係合溝４ａが設けられ、更に前記ラッチ６を解錠位置まで後退させる押しボタン７、７が前記扉Ａの前面９並びに背面１０に設けられている構造とした。
【０００７】
前記押しボタン７は押し動作並びに引き動作によってラッチ６を解錠位置まで後退させることができるように形成することも可能である。
【０００８】
【発明の実施の形態】
以下、本発明の構成を図１〜図６に示した第１の実施例に基づき説明する。図において符号Ａは回動式の扉を示すものであって、固定枠Ｂ’に対し蝶番Ｃを介して回動可能に取り付けられ、遊端側の端面１に扉Ａの閉鎖姿勢を保持する錠部材Ｄが設けられている。
【０００９】
前記錠部材Ｄは、一端部に開口部を有する筒状ケース２と、該ケース２に出没自在に収納されて背部からスプリング３によって常時突出方向に付勢され且つ先端には平面視三角状の先端部６ａを有するラッチ６とを備えている。更に前記ラッチ６と相対する固定枠Ｂにはラッチ６の三角状先端部６ａを受け入れる凹嵌部４を有する被係合部材Ｅが設けられている。
【００１０】
前記三角状先端部６ａの中腹部には左右平行な側面を有する係合部６ｂが設けられ、前記被係合部材Ｅの凹嵌部４には扉Ａを閉じた時に三角状の先端部６ａの係合部６ｂが係合して扉Ａの開閉を阻止する係合溝４ａが設けられている。更に前記ラッチ６を解錠位置まで後退させる押しボタン７、７が前記扉Ａの前面９並びに背面１０に設けられている。
【００１１】
前記押しボタン７，７によってラッチ６をスプリング３に抗して解錠位置まで後退させる機構は特定されないが、本実施例では図２〜図６に詳しく示すように、夫々の押しボタン７、７の先端が摺接する傾斜ガイド面１３，１３がラッチ６の後部に設けられ、各押しボタン７、７を押すことにより、その先端が傾斜ガイド面１３に摺接してラッチ６が解錠位置まで後退するように形成されている。
【００１２】
今、図２の状態ではラッチ６が凹嵌部４に係合して扉が閉鎖姿勢に保持されている。この状態ではラッチ６の左右平行な係合部６ｂが凹嵌部４の係合溝４ａに嵌入係合してラッチ６を後退させない限り扉を開くことができない。この状態から、何れか一方の押しボタン７を押すと、図３に示すように押しボタン７の先端によって傾斜ガイド面１３が押されてラッチ６が解錠位置まで後退する。このため扉Ａがラッチ６の解除と同時に押しボタン７を押す力によって開放することができる。押しボタン７から手を離すとスプリング３の力によりラッチ６と共に押しボタン７が元姿勢に復帰する。また扉が閉じられるときは、図５の状態からラッチ６の先端傾斜面が固定枠Ｂ若しくは被係合部材Ｅの端縁部分に接当してスプリング３に抗して後退し図２の状態に復帰する。この一連の動作において、左右平行な側面を有する係合部６ｂが平面視三角状のラッチ先端部６ａの中腹部に形成されているものであるから、ラッチ６の突出量は三角状の先端部６ａの範囲内で納めることができて、扉開放時におけるラッチの突出を小さく押さえることができ、且つ扉を閉じるときもラッチ６の先端傾斜面が固定枠Ｂ若しくは被係合部材Ｅの端縁部分に接当して後退するものであるから、従来のようにラッチの後退をガイドする大きなガイド片を被係合部材Ｅに設ける必要がない。
【００１３】
図７は押しボタン７によるラッチ６の後退機能の別の実施例を示すものであって、ラッチ６はスプリング３によって常時突出方向に付勢されている。ラッチ６の後部には押しボタン７、７の押し方向に沿ってスライドするスライド板１４が設けられ、このスライド板１４に傾斜ガイド面１４ａ，１４ａが形成されており、該傾斜ガイド面１４ａ，１４ａに摺接するピン１５がラッチ６に突出形成されている。このような構成により、何れか一方の押しボタン７を押すか、或いは引くと、傾斜ガイド面１４ａによってピン１５が後方に押されてラッチ６が解錠位置まで後退するようになっている。
【００１４】
以上本発明の一実施例について説明したが、本発明は必ずしもこれらの実施例構造のみに限定されるものでない。、例えば図に示すように、扉を閉じるときにラッチ６の先端傾斜面が接触する小さなガイド片８，８を固定枠Ｂ若しくは被係合部材Ｅの端縁部分に設けてもよい。その他本発明ではその目的を達成し、下記の効果を奏する範囲内において適宜改変して実施することができるものである。
【００１５】
【発明の効果】
本発明は上記のごとく構成したものであるから、押しボタンの押し動作によるラッチの解錠操作と同時にワンタッチで扉を前後何れの方向にも開放することができて、手足の運動機能に傷害のある身障者にとって扉開放操作の負担を軽減することができる。殊に本発明にあっては、扉開放時におけるラッチの突出を小さく押さえることができて衣服等が引っかかることを未然に防止することができ、且つ扉を閉じるときもラッチの先端傾斜面が固定枠若しくは被係合部材の端縁部分に接当して後退するものであるから、従来のようにラッチの後退を積極的にガイドする大きなガイド片を被係合部材Ｅに設ける必要がない、といった効果がある。
【図面の簡単な説明】
【図１】本発明に係る扉の開閉機構を組み込んだ扉と固定枠の概略的な平面図。
【図２】上記開閉機構の第１の実施例を示す断面図。
【図３】上記開閉機構のラッチが後退した状態を示す断面図。
【図４】上記開閉機構のラッチのみの拡大斜視図。
【図５】上記開閉機構の扉が閉じられる過程を示す断面図。
【図６】上記開閉機構の被係合部材のみの斜視図。
【図７】上記開閉機構におけるラッチ後退機構部分の他の実施例を示す断面図。
【符号の説明】
１  扉の端面
２  筒状ケース
３  スプリング
４  凹嵌部
６  ラッチ
６ａ  ラッチの三角状先端部
６ｂ  ラッチの係合部
７  押しボタン
９  扉の前面
１０  扉の後面
Ａ  扉
Ｂ、Ｂ’  固定枠
Ｃ  蝶番
Ｄ  錠部材
Ｅ  被係合部材
【図１】
2004218220.tif 000003
【図２】
2004218220.tif 000004
【図３】
2004218220.tif 000005
【図４】
2004218220.tif 000006
【図５】
2004218220.tif 000007
【図６】
2004218220.tif 000008
【図７】
2004218220.tif 000009